(57)【要約】【課題】繊維屑等の絡み易い不純物が含まれていても、吸引手段に不具合を生じさせることなしに浮上油を効率的かつ確実に回収することができる浮上油回収装置の提供。【解決手段】フロート２２により液面に浮上するカップ２１と、カップ２１に流入した液面近傍の液を吸引する吸引手段３とを備えた浮上油回収装置であって、吸引手段３とカップ２１との間に配置される吸引側パイプ３４の途中に真空タンク４を介装させ、真空タンク４の底部側には電磁弁５により開閉可能な排出口４ａが設けられている。【選択図】        図１
2004305933.tif 000002
【特許請求の範囲】
【請求項１】
フロートにより液面に浮上するカップと、該カップに流入した液面近傍の液を吸引する吸引手段とを備えた浮上油回収装置であって、
前記吸引手段と前記カップとの間に配置される吸引側パイプの途中に真空タンクを介装させ、
該真空タンクの底部側には排出用開閉弁により開閉可能な排出口が設けられていることを特徴とする浮上油回収装置。
【請求項２】
前記排出口および開閉弁の内径が前記吸引側パイプの内径より大径に形成されていることを特徴とする請求項１に記載の浮上油回収装置。
【請求項３】
前記真空タンクの上部には吸気用開閉弁により開閉可能な外気取り入れ口が設けられていることを特徴とする請求項２に記載の浮上油回収装置。
【請求項４】
前記真空タンク内の液量が所定の値に達すると前記排出用開閉弁を所定の間開いて前記真空タンク内に吸引された油を多く含む液を排出させる制御手段が備えられていることを特徴とする請求項１〜３のいずれか１項に記載の浮上油回収装置。
【請求項５】
前記真空タンク内の液量を前記吸引手段の運転時間に基づいて検出するように構成されていることを特徴とする請求項４に記載の浮上油回収装置。
【請求項６】
前記吸引手段は、モータによりピストンが往復駆動されるシリンダ装置と、該シリンダ装置における前記ピストンの往復駆動により容積変化する密閉室内と連通された吸引側パイプと、該吸引側パイプの途中に介装された吸引方向を順方向とする吸引側逆止弁と、前記吸引側パイプにおける前記シリンダ装置と吸引側逆止弁との間に形成された分岐部から分岐された吐出側パイプと、該吐出側パイプの途中に介装された吐出方向を順方向とする吐出側逆止弁で構成されていることを特徴とする請求項１〜５のいずれか１項に記載の浮上油回収装置。
【請求項７】
前記シリンダ装置が、ピストンロッドを入力軸として使用可能な汎用のエアシリンダで構成されていることを特徴とする請求項６に記載の浮上油回収装置。
【発明の詳細な説明】
【０００１】
【発明の属する技術分野】
本発明は、加工液（水溶性クーラント）、洗浄液、冷却液等の処理液の液面に浮上する作動油、潤滑油等の油分を吸引して回収する浮上油回収装置に関する。
【０００２】
【従来の技術】
従来、工作機械で用いられる水溶性クーラント等の使用済処理液の浮上油回収装置としては、例えば、揚水ポンプにつながるホースの先端（吸引口）をフロートで支持し、クーラントの液面に追従するように吸引口を浮上させて、浮上油を揚水ポンプで吸引回収するようにしたものがある（例えば、特許文献１参照。）。
【０００３】
【特許文献１】
特開平０７−１５５５０４号公報  （第２頁、［００１３］、図１）
【０００４】
【発明が解決しようとする課題】
しかしながら、従来例にあっては、ポンプにより浮上油を吸引回収するようにしたものであるため、以下に述べるような問題点があった。
即ち、ワークの洗浄作業において、洗浄ワークを作業者が軍手でさわる際にワークの角等に付着した繊維屑が使用済洗浄液に含まれることがあり、このように、処理液中に油の他に繊維屑が含まれているような場合は、油と共に原液タンクの液面に浮上し、この浮上油と共に吸引ポンプにより吸引されるが、繊維屑は該繊維屑同士はもちろんその他のゴミ等とも絡み易く次第に大きく成長するため、これが吸引ポンプのチェック弁等に引っ掛かって成長し易く、これにより、チェック弁等が作動不良状態に陥る恐れがある。
【０００５】
本発明は、上述の従来の問題点に着目してなされたもので、繊維屑等の絡み易い不純物が含まれていても、吸引手段に不具合を生じさせることなしに浮上油を効率的かつ確実に回収することができる浮上油回収装置を提供することを目的とするものである。
【０００６】
【課題を解決するための手段】
上述の目的を達成するために、本発明請求項１記載の浮上油回収装置は、フロートにより液面に浮上するカップと、該カップに流入した液面近傍の液を吸引する吸引手段とを備えた浮上油回収装置であって、前記吸引手段と前記カップとの間に配置される吸引側パイプの途中に真空タンクを介装させ、該真空タンクの底部側には排出用開閉弁により開閉可能な排出口が設けられていることを特徴とする手段とした。
【０００７】
本発明請求項２記載の浮上油回収装置は、請求項１記載の浮上油回収装置において、前記排出口および排出用開閉弁の内径が前記吸引側パイプの内径より大径に形成されていることを特徴とする手段とした。
【０００８】
本発明請求項３記載の浮上油回収装置は、請求項２記載の浮上油回収装置において、前記真空タンクの上部には吸気用開閉弁により開閉可能な外気取り入れ口が設けられていることを特徴とする手段とした。
【０００９】
本発明請求項４記載の浮上油回収装置は、請求項１〜３のいずれか１項に記載の浮上油回収装置において、前記真空タンク内の液量が所定の値に達すると前記排出用開閉弁を所定の間開いて前記真空タンク内に吸引された油を多く含む液を排出させる制御手段が備えられていることを特徴とする手段とした。
【００１０】
本発明請求項５記載の浮上油回収装置は、請求項４に記載の浮上油回収装置において、前記真空タンク内の液量を前記吸引手段の運転時間に基づいて検出するように構成されていることを特徴とする手段とした。
【００１１】
本発明請求項６記載の浮上油回収装置は、請求項１〜５のいずれか１項に記載の浮上油回収装置において、前記吸引手段は、モータによりピストンが往復駆動されるシリンダ装置と、該シリンダ装置における前記ピストンの往復駆動により容積変化する密閉室内と連通された吸引側パイプと、該吸引側パイプの途中に介装された吸引方向を順方向とする吸引側逆止弁と、前記吸引側パイプにおける前記シリンダ装置と吸引側逆止弁との間に形成された分岐部から分岐された吐出側パイプと、該吐出側パイプの途中に介装された吐出方向を順方向とする吐出側逆止弁で構成されていることを特徴とする手段とした。
【００１２】
本発明請求項７記載の浮上油回収装置は、請求項６に記載の浮上油回収装置において、前記シリンダ装置が、ピストンロッドを入力軸として使用可能な汎用のエアシリンダで構成されていることを特徴とする手段とした。
【００１３】
【発明の作用および効果】
この発明請求項１記載の浮上油回収装置では、上述のように構成されるため、、排出用開閉弁を閉じた状態で吸引手段を作動させると、フロートにより液面に浮上するカップ内に流入した油分を多く含む液面近傍の液が、まず、吸引側パイプの途中に介装された真空タンク内に吸引される。そして、この真空タンク内に吸引された油分を多く含む液の液面が所定の液面まで上昇した時点で、排出用開閉弁を開いて真空タンクの底部側に設けられた排出口から外部に液を排出させて回収し、排出が完了すると排出用開閉弁を閉じることにより、カップ内から真空タンクへの液の吸引を再開させる。
【００１４】
以上の操作を定期的に繰り返すことにより、吸引手段側には液を一切吸い込むことなしに、真空タンクを介して浮上油を吸引回収することができるため、浮上油に繊維屑等の絡み易い不純物が含まれていても、吸引手段に不具合を生じさせることなしに浮上油を効率的かつ確実に回収することができるようになるという効果が得られる。
【００１５】
本発明請求項２記載の浮上油回収装置では、上述のように、前記排出口および排出用開閉弁の内径を吸引側パイプの内径より大径に形成することにより、真空タンクに溜まった液の排出がスムーズかつ迅速に行えるようになる。
【００１６】
本発明請求項３記載の浮上油回収装置では、上述のように構成されるため、排出用開閉弁を開いて真空タンクの底部側に設けられた排出口から外部に液を排出させる際に、吸気用開閉弁を開くことにより、外気取り入れ口から真空タンク内へ外気が流入し、これにより、排出口からの液の排出がさらにスムーズかつ迅速に行えるようになる。
【００１７】
本発明請求項４記載の浮上油回収装置では、上述のように構成されるため、真空タンク内の液面が所定の値に達すると、制御手段において排出用開閉弁を所定の間開いて真空タンク内に吸引された油を多く含む液の排出が行われる。
以上のように、液の排出作業を自動化することができると共に、人手を要することなしに吸引手段側への液の吸引を確実に防止することができるようになる。
【００１８】
本発明請求項５記載の浮上油回収装置では、上述のように、前記真空タンク内の液量を吸引手段の運転時間に基づいて検出するようにしたことで、別に液面検出手段を備えることなしに、液の排出作業を自動化することができるようになる。
従って、人手を要することなしに吸引手段側への液の吸引を確実に防止することができるようになると共に、コストの低減化が可能となる。
【００１９】
本発明請求項６記載の浮上油回収装置では、上述のように構成されるため、モータによりピストンを往復駆動させると、シリンダ装置における密閉室容積の拡大工程（吸引行程）においては、吸引側パイプおよび吐出側パイプ内が負圧状態になるため、吐出側逆止弁が閉じて吸引側逆止弁が開き、これにより、カップ内に流入した油分を多く含む液が吸引口から吸引側パイプ内に吸引され、続く密閉室容積の縮小工程（圧縮行程）においては、以上とは逆に吸引側逆止弁が閉じて吐出側逆止弁が開くため、吸引側パイプにおける分岐部よりシリンダ装置側に吸引された液は分岐部から吐出側パイプ方向に押し出される。従って、ピストンを連続的に往復駆動させることにより、油分を多く含む液を間欠的に吸引回収することができる。
【００２０】
本発明請求項７記載の浮上油回収装置では、上述のように、前記シリンダ装置が、ピストンロッドを入力軸として使用可能な汎用のエアシリンダで構成されることで、吸引突出能力、耐久性、コスト等の点で最も優れた汎用エアシリンダを自由に選択して、前記吸引手段を構成することが可能になる。
【００２１】
【発明の実施の形態】
以下に、本発明の実施の形態を図面に基づいて説明する。
この発明の実施の形態は請求項１〜７に対応するものである。
【００２２】
図１は発明の実施の形態の浮上油回収装置の全体的構成および配管系統を示す概略図であり、この図において、１は原液タンク、２は吸引フロート装置、３は吸引手段、４は真空タンク、５は常閉の電磁弁（排出用開閉弁）、６は常閉の電磁弁（吸気用開閉弁）、７は廃油回収タンク、８はコントロールユニット（制御手段）を示す。
【００２３】
さらに詳述すると、前記原液タンク１は、ワーク洗浄液等の使用済処理液を収容するタンクであり、この原液タンク１では、比重差により、使用済処理液に含まれる作動油、潤滑油等の油分が繊維屑等のゴミを含んだ状態で液面に浮上分離される。
【００２４】
前記吸引フロート装置２は、原液タンク１に収容された処理液の液面近傍の液（繊維屑等のゴミを含む油部分）を流入させる上面開口状のカップ２１と、該カップ２１の上端開口縁部から液が流れ込むようにカップ２１を原液タンク１の液面に追従させるフロート２２とで構成されている。
【００２５】
前記吸引手段３は、前記カップ２１内に流れ込んだ浮上油を吸引回収する手段であり、ピストンロッド３１ａをピストン３１ｂの入力軸として使用可能な汎用のエアシリンダ（シリンダ装置）３１と、ギヤードモータ３２と、該ギヤードモータ３２の回転を直線運動に変換し、ピストンロッド３１ａを介してピストン３１ｂを往復駆動させる変換機構３３と、エアシリンダ３１におけるピストンの往復駆動により容積変化する密閉室３１ｃ内と連通する吸引側パイプ３４と、該吸引側パイプ３４の途中に介装される吸引方向を順方向とする吸引側逆止弁３５と、吸引側パイプ３４におけるエアシリンダ３１と吸引側逆止弁３５との間に形成される分岐部３４ａから分岐された吐出側パイプ３６と、該吐出側パイプ３５の途中に介装された吐出方向を順方向とする吐出側逆止弁３７とで構成されている。そして、前記吸引側パイプ３４の先端吸引口３４ｂがカップ２１内底部に配置されている。
【００２６】
前記真空タンク４は、前記吸引側パイプ３４における吸引側逆止弁３５と先端吸引口３４ｂとの間に介装されている。即ち、前記吸引側パイプ３４がその中間部で吸引側逆止弁３５からの吸引側パイプ部３４（Ａ）と先端吸引口３４ｂ側の吸引側パイプ部３４（Ｂ）とに分断されていて、真空タンクの上部に吸引側パイプ部３４（Ａ）が接続され、その側面に吸引側パイプ部３４（Ｂ）が接続されている。
【００２７】
また、前記真空タンク４の底部には電磁弁５により開閉可能な排出口４ａが設けられる一方、上部には電磁弁６により開閉可能な外気取り入れ口６ａが設けられている。そして、前記排出口４ａの下部に前記廃油回収タンク７が配置されている。
なお、前記排出口４ａおよび電磁弁５の内径が吸引側パイプ部３４（Ｂ）の内径より大径に形成されている。
【００２８】
前記コントロールユニット８は、前記両電磁弁５、６の開閉を制御するもの、吸引手段３の運転時間を計測するタイマ８１が内蔵されており、該タイマ８１で計測された吸引手段３の運転時間が所定の時間になると前記排出口４ａ側の電磁弁５および外気取り入れ口６ａ側の電磁弁６を開くような制御が行われるようになっている。なお、前記所定の時間は、吸引手段３の吸引能力に応じ、真空タンク４内の液が満タンにならないような時間に設定される。
【００２９】
次に、この発明の実施の形態の作用・効果を説明する。
この発明の実施の形態の浮上油回収装置では、上述のように構成されるため、ギヤードモータ３２により変換機構３３を介してピストン３１ｂを往復駆動させると、エアシリンダ３１における密閉室３１ｃの容積の拡大工程（吸引行程）においては、吸引側パイプ３４および吐出側パイプ３６内が負圧状態になるため、吐出側逆止弁３７が閉じて吸引側逆止弁３５が開き、吸引側パイプ部３４（Ａ）が接続された真空タンク４内が負圧になり、これにより、カップ２１内に流入した液面近傍の液が吸引口３４ｂから吸引され吸引側パイプ部３４（Ｂ）を経由して真空タンク４内に吸引され、続く密閉室３１ｃの容積の縮小工程（圧縮行程）においては、以上とは逆に吸引側逆止弁３５が閉じて吐出側逆止弁３７が開くため、密閉室３１ｃ内の空気が吐出側パイプ３６を経由して外部に排出される。
従って、ピストン３１ｂを連続的に往復駆動させることにより、カップ２１内に流れ込む液面近傍の液を間欠的に真空タンク４内に吸引することができる。
【００３０】
そして、タイマ８１で計測された吸引手段３の運転時間が所定の時間になると、コントロールユニット８において真空タンク４の排出口４ａ側の電磁弁５および外気取り入れ口６ａ側の電磁弁６を所定の時間だけ開いて真空タンク４内に吸引された油を多く含む液を排出口４ａから排出し、廃油回収タンク７に回収する。そして、所定の時間が経過して排出が完了すると、両電磁弁５、６を閉じることにより、カップ２１内から真空タンク４への液の吸引を再開させる。なお、両電磁弁５、６を開いている間は、吸引手段３を停止させるようにしてもよい。
【００３１】
以上の操作を定期的に繰り返すことにより、吸引手段３側には液を一切吸い込むことなしに、真空タンク４を介してカップ２１内に流入した液面近傍の油を多く含む液（浮上油）を吸引回収することができるため、浮上油に繊維屑等の絡み易い不純物が含まれていても、吸引手段３に不具合を生じさせることなしに浮上油を効率的かつ確実に回収することができるようになるという効果が得られる。また、前記真空タンク４内の液量を吸引手段３の運転時間に基づいて検出するようにしたことで、別に液面検出手段を備えることなしに、液の排出作業を完全自動化することができるようになり、従って、人手を要することなしに吸引手段３側への液の吸引を確実に防止することができるようになると共に、コストの低減化が可能となる。
【００３２】
また、前記排出口４ａおよび電磁弁５の内径を吸引側パイプ部３４ａの内径より大径に形成することにより、真空タンク４に溜まった液の排出がスムーズかつ迅速に行えるようになる。
【００３３】
また、電磁弁５を開いて真空タンク４の底部側に設けられた排出口４ａから外部に液を排出させる際に、電磁弁６を開くことにより、外気取り入れ口６ａから真空タンク４内へ外気が流入するため、排出口４ａからの液の排出をさらにスムーズかつ迅速に行うことができるようになる。
【００３４】
また、前記シリンダ装置が、ピストンロッド３１ａをピストン３１ｂの入力軸として使用可能な汎用のエアシリンダ３１で構成されることで、吸引突出能力、耐久性、コスト等の点で最も優れた汎用エアシリンダを自由に選択して、前記吸引手段３を構成することができるようになる。
【００３５】
以上発明の実施の形態を図面により説明したが、具体的な構成はこれらの発明の実施の形態に限られるものではない。
例えば、発明の実施の形態では、カップ２１の上部側から吸引するようにしたが、カップ２１の裏面側から吸引させるようにしてもよい。
【００３６】
また、発明の実施の形態では、処理液としてワーク洗浄液を例にとったが、液面に浮く油分を含む全ての処理液に適用することができる。
また、発明の実施の形態では、コントロールユニット８の制御作動を、タイマ８１により計測される時間によって行うようにしたが、その他に、真空タンク４に該真空タンク４内の液面を検出して信号出力可能な液面検出手段を備え、該液面検出手段により検出された検出液面が所定の液面に達すると両電磁弁５、６を所定の時間、もしくは、液面が所定以下に低下するまでの間開いて真空タンク４内に吸引された油を多く含む液を排出させるようにしてもよい。
【００３７】
また、真空タンク４に液面検出手段を設け、かつ、前記両電磁弁５、６に変えて手動開閉弁とし、液面検出手段で検出された液面に応じて、作業者が手動開閉弁を手動で開閉操作するようにしてもよい（請求項４に対応）。
また、発明の実施の形態では、電磁弁６により開閉可能な外気取り入れ口６ａを設けたが、これを設けなくても、排出口５ａから排出させることができる。
【００３８】
また、発明の実施の形態では、前記排出口４ａおよび電磁弁５の内径を吸引側パイプ部３４ａの内径より大径に形成したが、電磁弁６により開閉可能な外気取り入れ口６ａを設けておけば、同径に形成していても、真空タンク４に溜まった液の排出をスムーズかつ迅速に行うことができる。
【００３９】
また発明の実施の形態では、吸引側パイプ部３４（Ｂ）を真空タンク４の側面に接続したが、上部に接続するようにしてもよい。
また発明の実施の形態では、吸気用開閉弁および排出用開閉弁として電磁弁５、６を用いたが、空気や油圧による開閉制御弁を用いるようにしてもよい。
【図面の簡単な説明】
【図１】発明の実施の形態の浮上油回収装置の全体的構成および配管系統を示す概略図である。
【符号の説明】
１  原液タンク
２  吸引フロート装置
２１  カップ
２２  フロート
３  吸引手段
３１  汎用のエアシリンダ（シリンダ装置）
３１ａ  ピストンロッド
３１ｂ  ピストン
３１ｃ  密閉室
３２  ギヤードモータ
３３  変換機構
３４  吸引側パイプ
３４ａ  分岐部
３４ｂ  吸引口
３５  吸引側逆止弁
３６  吐出側パイプ
３７  吐出側逆止弁
４  真空タンク
４ａ  排出口
５  電磁弁（排出用開閉弁）
６  電磁弁（吸気側開閉弁）
６ａ  外気取り入れ口
７  廃油回収タンク
８  コントロールユニット（制御手段）
８１  タイマ
【図１】
2004305933.tif 000003